(57)【要約】【課題】確実な抜け止め機能を満たしつつ、使い勝手の良さ、小型化、構造の簡素化、汎用性、まとまりの良い外観の各項目を極力多く満たせるロック装置、及びこれが装備されたコンセントを提供する。【解決手段】差込プラグ１０の雄型接触子１１に形成された係合孔６に係入するための突出作用位置と、係合孔６から抜出るための引込解除位置とに亘って移動自在にケーシング１６に支持されるロック片１４、このロック片１４を突出作用位置と引込解除位置とに切換操作するためにケーシング１６に移動自在に支持される操作片１５、及びコンセントＡに一体的に装備自在なケーシング１６から成り、ロック片１４は、コンセントＡの雌型接触子２３に形成される挿通孔１２を通して係合孔６に係抜自在に構成され、かつ、操作片１５は、コンセントＡの外側から操作自在となるものに構成されているコンセント用ロック装置。【選択図】図６
2005302623.tif 000002
【特許請求の範囲】
【請求項１】
差込プラグの雄型接触子に形成された係合孔に係入するための突出作用位置と、前記係合孔から抜出るための引込解除位置とに亘って移動自在にケーシングに支持されるロック片、このロック片を前記突出作用位置と前記引込解除位置とに切換操作するために前記ケーシングに移動自在に支持される操作片、及びコンセントに一体的に装備自在な前記ケーシングから成り、
前記ロック片は、コンセントの雌型接触子に形成される挿通孔を通して前記係合孔に係抜自在に構成され、かつ、前記操作片は、コンセントの外側から操作自在となるものに構成されているコンセント用ロック装置。
【請求項２】
前記操作片が、先端に傾斜作用部が形成された押釦に構成され、前記ロック片は、前記傾斜作用部に当接する被操作部が形成されて前記押釦の押し操作方向と交差する方向に往復移動自在なものに構成されている請求項１に記載のコンセント用ロック装置。
【請求項３】
前記ロック片は前記ケーシングに揺動自在に支承されている請求項１又は２に記載のコンセント用ロック装置。
【請求項４】
前記ケーシングに、前記雌型接触子に対する位置決め用ガイド部を形成して、前記ケーシングが前記雌型接触子の横側に近接配備自在に構成されている請求項１〜３の何れか一項に記載のコンセント用ロック装置。
【請求項５】
前記ケーシングは、前記操作片を移動自在に収容する第１ケースと，前記ロック片を移動自在に収容する第２ケースと、これら両ケースを一体的に連結する連結手段と、から構成されている請求項１〜４の何れか一項に記載のコンセント用ロック装置。
【請求項６】
請求項１〜５の何れか一項に記載のコンセント用ロック装置が装備されるロック装置付コンセントであって、
前記係合孔が形成された雌型接触子を含む一対の雌型接触子、これら雌型接触子における電線との導通接続部、及び一対の前記雌型接触子と前記導通接続部とを収容支持する支持ケースから成るとともに、前記ロック装置が、前記係合孔が形成された雌型接触子に隣接される状態で前記支持ケースに一体的に装備されているロック装置付コンセント。
【請求項７】
前記ロック片が通る挿通孔を有する雌型接触子に対する雄型接触子の挿抜方向と、前記電線のコンセントに対する取出し方向とが一致するように構成されている請求項６に記載のロック装置付コンセント。
【請求項８】
前記ロック装置が一対の雌型接触子の間において前記支持ケースに装備されている請求項６又は７に記載のロック装置付コンセント。
【請求項９】
前記支持ケースが型成形による合成樹脂材で形成され、前記ロック装置は前記支持ケースに埋設状態で装備されている請求項６〜８の何れか一項に記載のロック装置付コンセント。
【請求項１０】
前記合成樹脂材が透明又は半透明のものであり、前記支持ケースには、一対の前記雌型接触子に導通接続される表示ランプが埋設されている請求項９に記載のロック装置付コンセント。
【発明の詳細な説明】
【技術分野】
【０００１】
本発明は、差込プラグがコンセントから抜け出すことを阻止するコンセント用ロック装置、並びにそのロック装置が装備されたロック装置付コンセントに関するものである。
【背景技術】
【０００２】
電線を接続したり延長したりするためのコネクタとして、差込プラグとコンセントが良く知られている。コンセントは、一般には家庭用の１００〜２００Ｖの商用電源のものとして、ビルや住宅等の建物の壁に据え付けられる固定型コンセント（壁用コンセント）と、延長コードや中継コード等に装備される移動型コンセントがあり、いずれも差込プラグと対を為すことで機能する。
【０００３】
例えば、工事現場や工場等において使用される中継コード等は、作業者や各種の運搬手段が頻繁に移動する環境において床等に配策されることも多いので、場合によってはコードが引っ掛けられて差込プラグがコンセントから抜けてしまい、夜間作業時に照明ランプが突然に消えるとか、稼動中の工場設備機器が止ってしまうといった不都合の生じることがある。また、一般家庭においても、誤って掃除器等で延長コードを引っ掛けて、コンセントから差込プラグを外してしまい、突然にパソコンが切れて大慌てするという状況も考えられる。
【０００４】
そこで、従来、コードを少々引っ掛けても差込プラグがコンセントから抜けないようにするために、抜け止め機能が設けられたコンセントが製作されている。つまり、差込プラグをコンセントに差し込んだ状態の維持、並びに解除が行えるロック機構が設けられたものであり、例えば、特許文献１〜３において開示されたものが知られている。
【特許文献１】特開平９−５５２５８号公報
【特許文献２】特開２００２−３４３４８９号公報
【特許文献３】実開昭５８−１９２４８５号公報
【発明の開示】
【発明が解決しようとする課題】
【０００５】
特許文献１において開示されたものは、固定型コンセントに略Ｕ字状に屈曲形成されたスプリング材を揺動自在に枢支し、差込まれた差込みプラグのケースの背面をスプリング材で受止めることにより、差込プラグをコンセントから抜け止めする。この手段では、差込プラグには何らの改造が不要である点は良いが、スプリング材はコンセントから大きく突出しており、他物と接触して変形し易いとともに、差込プラグの差込時に、下降揺動しているスプリング材を一旦上昇揺動させ、それから再下降揺動してプラグ背面に係合させるという、複数操作を要する場合もあり、抜け止めのためのロック操作が面倒である。また、差込プラグはスプリング材が係合可能な形状であることが必須であり、専用のものとなってしまう。
【０００６】
特許文献２において開示されたものは、差込プラグにおける一対の雄型接触子の間において引込収納自在な係合突起を突設するとともに、その係合突起に係合する凹入部を移動型コンセントに形成する構造のものである。つまり、差込プラグをコンセントに差込めば、それに伴って係合突起が凹入部に嵌り込んで係合することで抜け止め機能が生じるとともに、差込プラグの押ボタンを押せば係合突起と凹入部との係合が解除され、差込プラグの抜き出しが可能となる。しかしながら、この手段ではプラグとコンセントの双方に抜け止め構造を別途に構成する必要があって専用のプラグ＆コンセントになってしまう。また、突出した係止片を有するプラグを、一般的なコンセントにも使えるように、係止片をプラグケース内に引込移動できるようにするための構造並びに大きさのものが必要であり、構造の複雑化やプラグの大型化が避けられない。
【０００７】
特許文献３において開示されたものは、固定型や移動型のコンセントにおける二股状の雌型接触子の一方に形成された孔から、弾性部材で押圧付勢される係合部材を突出させてあり、差込まれたプラグの雄型接触子の孔に係合部材を係合させることで、プラグの引き抜き強度を向上させる構造のものである。この手段では、比較的簡易な構成で済む点は良いが、弾性による付勢力が強くなった程度であるから、プラグを強く引けば容易に引き抜ける構造であり、必要となる抜け止め機能が得られるものではない。
【０００８】
差込プラグの抜け止めについて考えた場合、ａ．確実な抜け止め、ｂ．使い勝手の良さ、ｃ．小型化、ｄ．構造の簡素化、ｅ．汎用性、ｆ．まとまりの良い外観、といった項目が挙げられるが、特許文献１に示された技術では、ｂ，ｃ，ｅ，ｆの各点で改善の余地があり、特許文献２に示された技術では、ｃ，ｄ，ｅの各点で改善の余地がある。また、特許文献３に示された技術では、ａの抜け止めが不確実であり、根本的な問題が残るものであり、いずれの従来技術でも、さらなる工夫が必要である。
【０００９】
本発明の目的は、基本命題であるａ．の項目を満たしつつ、残りの項目ｂ．〜ｆ．を極力多く満たせるようにして、総合的により改善することが可能となるロック装置付コンセント、並びにこれに用いるロック装置、即ち、コンセント用ロック装置を提供する点にある。
【課題を解決するための手段】
【００１０】
請求項１の構成は、コンセント用ロック装置において、差込プラグの雄型接触子に形成された係合孔に係入するための突出作用位置と、前記係合孔から抜出るための引込解除位置とに亘って移動自在にケーシングに支持されるロック片、このロック片を前記突出作用位置と前記引込解除位置とに切換操作するために前記ケーシングに移動自在に支持される操作片、及びコンセントに一体的に装備自在な前記ケーシングから成り、
前記ロック片は、コンセントの雌型接触子に形成される挿通孔を通して前記係合孔に係抜自在に構成され、かつ、前記操作片は、コンセントの外側から操作自在となるものに構成されていることを特徴とする。
【００１１】
請求項２の構成は、請求項１に記載のコンセント用ロック装置において、前記操作片が、先端に傾斜作用部が形成された押釦に構成され、前記ロック片は、前記傾斜作用部に当接する被操作部が形成されて前記押釦の押し操作方向と交差する方向に往復移動自在なものに構成されていることを特徴とする。
【００１２】
請求項３の構成は、請求項１又は２に記載のコンセント用ロック装置において、前記ロック片は前記ケーシングに揺動自在に支承されていることを特徴とする。
【００１３】
請求項４の構成は、請求項１〜３の何れか一項に記載のコンセント用ロック装置において、前記ケーシングに、前記雌型接触子に対する位置決め用ガイド部を形成して、前記ケーシングが前記雌型接触子の横側に近接配備自在に構成されていることを特徴とする。
【００１４】
請求項５の構成は、請求項１〜４の何れか一項に記載のコンセント用ロック装置において、前記ケーシングは、前記操作片を移動自在に収容する第１ケースと、前記ロック片を移動自在に収容する第２ケースと、これら両ケースを一体的に連結する連結手段と、から構成されていることを特徴とする。
【００１５】
請求項６の構成は、請求項１〜５の何れか一項に記載のコンセント用ロック装置が装備されるロック装置付コンセントにおいて、
前記係合孔が形成された雌型接触子を含む一対の雌型接触子、これら雌型接触子における電線との導通接続部、及び一対の前記雌型接触子と前記導通接続部とを収容支持する支持ケースから成るとともに、前記ロック装置が、前記係合孔が形成された雌型接触子に隣接される状態で前記支持ケースに一体的に装備されていることを特徴とする。
【００１６】
請求項７の構成は、請求項６に記載のロック装置付コンセントにおいて、前記ロック片が通る挿通孔を有する雌型接触子に対する雄型接触子の挿抜方向と、前記電線のコンセントに対する取出し方向とが一致するように構成されていることを特徴とする。
【００１７】
請求項８の構成は、請求項６又は７に記載のロック装置付コンセントにおいて、前記ロック装置が一対の雌型接触子の間において前記支持ケースに装備されていることを特徴とする。
【００１８】
請求項９の構成は、請求項６〜８の何れか一項に記載のロック装置付コンセントにおいて、前記支持ケースが型成形による合成樹脂材で形成され、前記ロック装置は前記支持ケースに埋設状態で装備されていることを特徴とする。
【００１９】
請求項１０の構成は、請求項９に記載のロック装置付コンセントにおいて、前記合成樹脂材が透明又は半透明のものであり、前記支持ケースには、一対の前記雌型接触子に導通接続される表示ランプが埋設されていることを特徴とする。
【発明の効果】
【００２０】
請求項１の構成によれば、詳しくは実施例において述べるが、差込プラグのコンセントからの抜け止め構造が、操作片、ロック片、ケーシング等の専用の部材を用いて独立した１組の部品としてのロック装置として完結構成されているので、支持ケース等のコンセントの構成部材に抜け止め用の機能構造部を形成する必要が無い。つまり、コンセントの設計時には、ロック装置は、雌型接触子等の構成部材と同様に一つの部品として配置レイアウトすれば良いものとなる。従って、このロック装置は、形状や大きさ等の異なるコンセント、或いは壁用や中継コード用等のあらゆるコンセントに適用させることが容易になるとともに、コンセントボディ（支持ケース）が合成樹脂等の型成形材で形成される場合には、その型成形時にロック装置を埋設して一体化することも可能になる。この汎用性に優れるロック装置の実現により、コンセントの設計に当たってロック装置をどのように配置構成するかに関する工夫さえ行えば、差込プラグの抜け止め構成をコンセントの設計時毎に一から行う手間が不要になり、ロック装置付コンセントの設計の合理化や迅速化を図ることが可能になる。
【００２１】
その結果、ロック装置を独立した１組の部品、即ちコンセントの一構成部材に形成したことにより、差込プラグの抜け止め構造に関する前述のａ．〜ｆ．の項目、即ち、ａ．確実な抜け止め、ｂ．使い勝手の良さ、ｃ．小型化、ｄ．構造の簡素化、ｅ．汎用性、ｆ．まとまりの良い外観、といった各項目について、基本命題であるａ．の項目を満たしつつ、残りの項目ｂ．〜ｆ．を極力多く満たすことが可能となり、総合的により改善されたロック装置付コンセントの実現に寄与するロック装置を提供することができる。
【００２２】
請求項２の構成によれば、ロック片の移動方向と操作片の移動方向とを互いに異なる方向に設定することができるので、差込プラグの確実な抜け止め機能と、操作片の良好な操作性との両立を図ることが可能になる。また、手指等が接触する操作片は合成樹脂等の絶縁材として感電のおそれが無いようにしながら、差込みプラグの雄型接触子に係合するロック片を強度を確保すべく金属（導通材）製のものにできる利点もある。
【００２３】
請求項３の構成によれば、ロック片を往復移動させるには枢支構造を一箇所設けるだけで済むので、例えばロック片をスライド移動させる場合に比べて、構造がシンプルで、かつ、コンパクトにロック装置を構成させることが可能になる。
【００２４】
請求項４の構成によれば、ガイド部の存在によってケーシングと雌型接触子との位置決めが行えるので、型成形時や組付け時等において、これら両者の位置決めを行うための治具等の専用の位置決め手段が不要になる。従って、ケーシングにガイド部を形成しておく程度の経済的な手段により、差込プラグの抜け止め機能が確実に発揮されるためのロック装置の雌型接触子に対する位置決め手段を、位置決め操作の能率に優れ、しかも廉価に実現させることができる。
【００２５】
請求項５の構成によれば、連結手段の操作によってケーシングを、ロック片を収容する第１ケースと操作片を収容する第２ケースとに分離自在であり、各部のメンテナンスや部品交換が便利に行えて、耐久性や信頼性向上に寄与できるとともに、ケーシングとして組付けてロック装置に仕上げる操作も簡単に行えるものとなる。
【００２６】
請求項６の構成によれば、１組の部品であるロック装置を雌型接触子に隣接配置させて支持ケースに一体化するだけで、専用の抜け止め構造の立案、設計を伴うことなく、差込プラグの抜け止め機能が備わったロック装置付コンセントを構築することができる。つまり、１組の部品であるロック装置の配置工夫のみで済むので、基本命題である「ａ．確実な抜け止め」を満たしながら、ｂ．使い勝手の良さ、ｃ．小型化、ｄ．構造の簡素化、ｅ．汎用性、ｆ．まとまりの良い外観ｂ．を極力多く満たせることが可能となり、より洗練されたロック装置付コンセントを提供することができる。
【００２７】
請求項７の構成によれば、差込プラグのコンセントへの挿抜方向が、コンセントの電線取出し方向と一致する状態の雌型接触子に抜け止め機能が発揮されるようにロック装置が配備されているので、足や他物で電線を引掛ける等による不測のコンセント外れが最も生じ易いストレート方向、即ち、コンセントの電線取出し方向と差込プラグの電線取出し方向とが一致する差込プラグに対して抜け止め機能が発揮されるようになる。これにより、最も効果的に差込プラグを抜け止めできるロック装置付コンセントが提供される。
【００２８】
請求項８の構成によれば、一対の雌型接触子の間の狭いスペースにロック装置が配置されているので、ロック装置を備えながらも横側方への張出しを抑えてコンセント幅を小さくして見栄えの改善が可能となり、よりコンパクトで洗練されたロック装置付コンセントを実現することができる。
【００２９】
請求項９の構成によれば、支持ケースの型成形時に、ロック装置を埋設装備して一体化することができるので、支持ケースの形成とロック装置の装備工程とが兼用され、生産性に優れるロック装置付コンセントを提供することができる。特に、ロック装置は支持ケースに埋設されるので、コンセントの外観をよりスマートで見栄えの良いものとすることが可能となる利点もある。
【００３０】
請求項１０の構成によれば、支持ケースが内部視認可能な透明又は半透明なものであるから、使用中でも支持ケースの内部構造を見て確認可能になる。そして、表示ランプが点灯しておればコンセントに導通されており、表示ランプが点灯していなければコンセントには非道通であることが分かるので、差込プラグを差込むことなくコンセントが導通状態か否かを知ることができ、事前にコンセントの導通具合や良否等が判断可能となる使い勝手の良さが得られる。また、夜間等の暗い場所においては、表示ランプの点灯によってコンセントの存在位置を確認することができるので、コンセントを踏んだりコードを引掛けたりの不都合を未然に回避可能となる利点もある。
【発明を実施するための最良の形態】
【００３１】
以下、本発明によるコンセント用ロック装置、及びロック装置付コンセントについて、図面を参照しながら説明する。図１〜図９は実施例１によるロック装置付コンセント、及び実施例１によるコンセント用ロック装置を示し、図１０，１１は実施例２によるロック装置付コンセントを示す。図１２は実施例３によるロック装置付コンセント、図１３は実施例４によるロック装置付コンセント、及び実施例２によるコンセント用ロック装置、図１４は実施例５によるロック装置付コンセント、及び実施例３によるコンセント用ロック装置を夫々示す。また、図１５，１６は、実施例１によるコンセント用ロック装置の別構造を示す要部の平面図である。
【実施例１】
【００３２】
実施例１によるロック装置付コンセントＡは、中継コードに適用された例である。即ち、図１に示すように、中継コード１は、主に工事現場において使用される表示ランプ付の業務用中継コードであり、四箇所の差込口、即ちコンセント部ｋ１〜ｋ４を有したマルチタップ型のコンセント（ロック装置付コンセント）Ａと、差込プラグＢと、これら両者Ａ，Ｂを繋ぐコード部（電線の一例）Ｃとから構成されている。尚、以下において、差込プラグＢと、一般的な差込プラグ１０とは、便宜上別のものとして分けて説明するが、日本工業規格上は同一のものであり、差込プラグＢをコンセントＡに挿抜自在である。
【００３３】
差込プラグＢは、一対の雄型接触子２を所定間隔を空けて固定支持する合成樹脂製の支持基材３と、それら雄型接触子２と一対のリード線４との導通接続部２ａとを設けるとともに、支持基材３、導通接続部２ａ、及びコード部Ｃの先端部分とを、透明な合成樹脂材製のケース部５で囲繞して固定することで構成されている。各雄型接触子２の先端部には、抜け止め強度向上のために、日本工業規格で定められた円形の係合孔６が形成されている。
【００３４】
コンセントＡは、図１〜図４に示すように、一対のリード線４，４の夫々に導通接続された金属板製のタップ金具７Ａ，７Ｂと、ロック装置Ｒと、コンセントの所在を知らしめるための表示ランプ８と、これら三者及びコード部Ｃの先端部分を囲繞する透明な合成樹脂材製の支持ケース９とから構成されている。タップ金具７Ａ，７Ｂは、係合孔１２の有無のみの違いであり、コンセント先端の第１コンセント部ｋ１を構成する第１雌型接触子２３に挿通孔１２が形成されているものを左タップ金具７Ａとし、挿通孔１２の無いものが右タップ金具７Ｂであるとする。
【００３５】
各タップ金具７Ａ，７Ｂは、左金属板２１と右金属板２２とを、左金属板２１に形成された複数箇所の爪２１ａを用いてカシメ（加締）て一体化することで構成されている。左右金属板２１，２２には、第１〜第４雌型接触子２３〜２６を形成するための対を為す片持ち梁状の左右接触片２３ｂ〜２６ｂ，２３ａ〜２６ａが形成されている。リード線４をカシメ処理を用いて導通接続する接続部２７は、左金属板７Ａのみに形成されている。
【００３６】
これら第１〜第４の左右接触片２３ｂ〜２６ｂ，２３ａ〜２６ａで成る左右一対の第１〜第４接触子２３〜２６により、上面に二箇所、下面に一箇所、そして正面の側面に一箇所の計四箇所に、差込プラグ１０の挿抜が自在なコンセント部ｋ１〜ｋ４が形成されている。右金属板２２の各右接触片２３ａ〜２６ａには、差込プラグ１０の雄型接触子１１の係合孔６に嵌り込んで抜け止め力を強化するための小突起３０が形成されており、第１雌型接触子２３においては、小突起３０に代えて挿通孔１２が形成されている。
【００３７】
また、コンセントＡには、差込プラグＢが商用電源等の電源に接続されていることを表示するための表示ランプ８が支持ケース９に埋設装備されている。表示ランプ８の一対のリード線８ａが、各金属板２１，２２とコード部Ｃのリード線４との導通接続部２７に導通されており、表示ランプ８が点灯しておれば、コンセントＡが電源として機能する状態にあることが周囲に分かるように構成されている。また、表示ランプ８の点灯により、夜間等の暗い環境下でもコンセントの所在が認識できるので、コンセントを踏んだり蹴ったり、或いは運搬車で轢いたりする不都合が生じ難くなり、コンセントの耐久性向上に寄与できる利点もある。
【００３８】
支持ケース９は、例えば、塩化ビニル系の透明な合成樹脂材の射出成形によって形成された内蔵物透視自在なスケルトン仕様とされており、表面に梨地処理を施すことで内臓物がややぼやけて見えるようにしてある。但し、第２〜第４コンセント部ｋ２〜ｋ４、及びロック装置Ｒの押釦１５の各周囲部分、及び底面の表示ランプ８認識用としての円形の覗き窓部分は、梨地処理を省略して内部が鮮明に見通せる透明部分２９としてある。また、第１コンセント部ｋ１には、アース付の差込プラグであっても支障無く接続できるよう、アース金具の逃がし溝２８が、コンセント底面に形成されている（図４参照）。
【００３９】
ロック装置Ｒは、図８，９に示すように、上側となる第１ケース１６Ａと下側となる第２ケース１６Ｂとから成るケーシング１６、操作片１５、ロック片１４、巻きバネ１７、戻しバネ１８、１個の枢支ビス１９、及び２個の固定ビス（連結手段の一例）２０から構成されている。つまり、操作片１５上端の押釦１５ａを手指で押し下げると、第２ケース１６Ｂの切欠き部１６ｂから外部に突出しているロック爪１４ａを、ほぼ第２ケース１６Ｂの内部に引込み退入移動させたロック解除状態にすることができ［図７（ｂ）参照］、押釦１５ａの押し下げを解除すると、巻きバネ１７と戻しバネ１８の作用により、押釦１５ａが上方突出し、かつ、ロック爪１４ａが外方に突出するロック状態に自己復帰する［図７（ａ）参照］。
【００４０】
各部について詳細説明する。ロック片１４は、前述のロック爪１４ａと巻きバネ１７を受止める折曲げ爪（被操作部の一例）１４ｂとを有した鋼板材製であり、一般的な差込プラグ１０の雄型接触子１１に形成された係合孔６にロック爪１４ａが係入するための突出作用位置［図７（ａ）参照］と、係合孔６からロック爪１４ａが抜出るための引込解除位置［図７（ｂ）参照］とに亘って支点Ｐで揺動自在に第２ケース１６Ｂに収容支持されている。このロック片１４は、コンセントＡの第１雌片接触子２３に形成される挿通孔１２を通して雄型接触子１１の係合孔１２に係入及び抜出しが自在（係抜自在）に構成されている。
【００４１】
操作片１５は、ロック片１４を突出作用位置と引込解除位置とに切換操作するために第１ケース１６Ａに上下スライド移動自在に内装支持される四角型ボディ１５Ａと、その上端の押釦１５ａと、傾斜縁（傾斜作用部の一例）１５ｂを有する下端部の作用部１５Ｂとから構成されている。押釦１５ａは、第１ケース１６Ａの操作孔１６ａから上方に突出しており、これによって操作片１５は、コンセントＡの外側から操作自在となるものに構成されている。操作片１５の材質はロック片１４との強い摩擦接触にも優れた耐久性が得られるように、そして、外部突出する押釦１５ａの他物との接触や衝撃にも十分耐えられるよう、ガラス繊維入りの強化プラスチック（ＦＲＰ）材としてある。
【００４２】
巻きバネ１７は、ロック片１４を突出作用位置に押圧付勢するよう、第２ケース１６Ｂの内壁と折曲げ爪１４ｂとの間において圧縮された状態で横向きに収容されている。操作片１５を上昇付勢する戻しバネ１８は、略無底四角筒状の操作片１５に上下向き姿勢で入り込ませてあり、その下端はロック片１４で受止められている。尚、ケーシング１６及び操作片１５は合成樹脂材で形成されている。
【００４３】
ケーシング１６は、第１コンセント部ｋ１における一対の雌型接触子２３の間に収まり、かつ、押釦１５ａがコンセント上面よりも突出するように、その幅及び高さが設定されており、支持ケース９の射出成形時に、左右タップ金具７Ａ，７Ｂ、電源表示ランプ８等と一緒に鋳型に収められることにより、一体的に埋設装備される。また、ケーシング１６には、これの左右に配置される雌型接触子２３との位置決めを行うために、第１及び第２ケース１６Ａ，１６Ｂの左右夫々にガイド突起（位置決め用ガイド部の一例）１６ｔが形成されている。尚、第１ケース１６Ａには、ロック装置Ｒとしての組付け時における切欠き部１６ｂの余剰部分の蓋となる突片１６ｈが形成されている。
【００４４】
次に、ロック装置Ｒの作用について説明する。ロック装置Ｒは、図２、図５〜図７、図９に示すように、自由状態ではロック爪１４ａがケーシング１６外に付勢突出されており、第１コンセント部ｋ１の左タップ金具７Ｂにおける第１右接触片２３ａの挿通孔１２を貫通している。この状態で差込プラグ１０を差込むと、ロック片１４の支点Ｐの位置関係と、及びロック爪１４ａのテーパ導入面１４ｃに雄型接触子１１の先端が当接することとにより、巻きバネ１７の付勢力に抗してロック片１４が引込揺動移動し、雄型接触子１１の雌型接触子２３への進入が可能となり、限界まで差込むと、図６（Ａ）に示すように、雄型接触子１１の係合孔６にロック爪１４ａが入り込んだロック状態がもたらされる。差込プラグ１０を引き抜くには、押釦１５ａを押し下げて突出作用位置にあるロック片１４を引込解除位置に強制揺動させてロック爪１４ａを係合孔６から抜き去ってから、差込プラグ１０を引張れば良い［図６（Ｂ）参照］。
【００４５】
ロック状態では、差込プラグ１０とコンセントＡとが分離する方向の強い力が作用しても、差込プラグ１０がコンセントＡから外れないようにする抜け止め機能が働いている。従って、工事現場などにおいて、コード部Ｃを足で引っ掛ける等しても、予期せぬ差込プラグ１０のコンセントＡからの脱出しが阻止されるので、突然に機械が止ったり、夜間において照明灯が消えたりする不都合が未然に防止されるとともに、屋内においても、パソコンがいきなり消えて大慌てする、といった不具合も解消されるのである。
【００４６】
実施例１によるロック装置付コンセントＡ、及びコンセント用ロック装置Ｒにおいては次のような作用効果がある。差込プラグ１０の挿抜方向とコード部ＣのコンセントＡからの取出し方向とが一致するように、ロック装置Ｒが第１コンセント部ｋ１に作用する状態に構成してあるので、コード部Ｃの引掛け等によって最も抜け易い方向の第１コンセント部ｋ１において、確実な抜け止め機能を得ることができる。コード部Ｃの取出し方向と直交する第２〜第４コンセント部ｋ２〜ｋ４においては、コード部Ｃを引掛けたり、蹴飛ばしたりしても、比較的差込プラグ１０は抜け難いので、トータルとして抜け止め性能が大きく向上するコンセントＡが実現できている。
【００４７】
ロック装置Ｒは、ロック片１４を揺動移動する構造としたので、一対の雌型接触子２３，２３間の狭い場所に収容自在なコンパクトなものに構成できており、コンセントの幅寸法を拡大させることがなく、しかもコンセント外に出る部分は押釦１５ａのみであり、外観もスマートに仕上げることができている。差込プラグ１０を外す際には、一方の手でコンセントＡを、かつ、他方の手で差込プラグ１０を持って引き抜く操作となるから、一方の手で押釦１５ａを用いてコンセントＡを握ることができ、ロック解除のための特別な操作が不要であって、使い勝手も良い。
【００４８】
この左右の雌型接触子２３，２３の間にロック装置Ｒを配置する構成により、ロック対象となる雌型接触子２３に挿通孔１２を形成しさえすれば、支持ケース９の型成形時にロック装置Ｒを所定位置にセットするだけで、ロック装置付コンセントを生産性の良い状態としながら得ることができる。故に、実施例１によるロック装置Ｒは、多種多様なコンセントに適用してロック装置付仕様にすることが可能であり、優れた汎用性を持つ長所がある。これは、支持ケース９自体にロック装置としての各部品を構成させる場合に比べて、コンセント毎にロック装置を設計施工する手間がないとともに、構造や形状、或いは大きさの制限も考慮しないで済む便利なものとなる。
【００４９】
そして、ロック片１４のロック爪１４ａが挿抜される係合孔６は、元々、小突起３０と係合するために本来的に雄型接触子１１に形成されている孔であるから、差込プラグ１０には何らの改造も伴うことなく確実な抜け止め機能が得られるメリットがある。また、ロック装置Ｒは、金属製の雄型接触子１１に係合するロック片１４は強度十分な金属材としながら、手指に触れる箇所である押釦１５ａ、即ち操作片１５は合成樹脂材製として非導通な部材にできるので、差込プラグを強度十分に抜け止めできる信頼性に優れるロック機能と、感電のおそれがなく安心操作できる絶縁性との両立を図ることができる。
【実施例２】
【００５０】
実施例２によるロック装置付コンセントＡ２は、図１０、図１１に示すように、三箇所のコンセント部ｋ１〜ｋ３、及びコード部Ｃの取出し部３１が、９０度毎に設けられた十字型のものに構成されている。このコンセントＡ２では、コード部Ｃと対向する第２コンセント部ｋ２部分に、実施例１によるロック装置Ｒが埋設装備されている。この十字型コンセントＡにおいても支持ケース９の型成形時に、ロック装置Ｒも埋め込んで一体形成すれば好都合である。この実施例２によるロック装置付コンセントＡ２の持つ作用効果は、実施例１によるコンセントの場合と同等である。
【実施例３】
【００５１】
実施例３によるロック装置付コンセントＡ３は、図１２に示すように、実施例１によるロック装置Ｒを、雌型接触子２３の横外側に配置する構造のものであり、ロック装置Ｒの横幅が十分に狭いので、コンセントＡ３の横幅を大型化することなく装備させることが可能である。また、図示は省略するが支持ケース９の型成形時に一体的に埋設しても良いが、予め、ロック装置Ｒ装着用の凹みを成形しておき、支持ケース９の成形後にロック装置Ｒをボルト等によって後付け装備させる手段も可能である。
【実施例４】
【００５２】
実施例４によるロック装置付コンセントＡ４は、図１３に示すように、実施例２によるロック装置Ｒ２を、雌型接触子２３の横外側に配置した構造のコンセントである。このロック装置Ｒ２は、支点Ｘで揺動自在な天秤揺動型のロック片３４と、その根元側端に固定取付けされる押釦３３と、戻しバネ３５とをケーシング３６に収容してあり、ロック爪３４ａがケーシング３６の横外に突出して、雌型接触子２３の挿通孔１２に嵌り込んでいる。ケーシング３６は、ロック片３４を揺動自在に収容する下ケース部３６Ａと、これの蓋となる上ケース部３６Ｂとから成り、例えば、一箇所の引掛け構造部３７と、１個のビス３８とで着脱自在に組付ける。
【００５３】
この実施例２によるロック装置Ｒ２も独立した部品であり、支持ケース３９の型形成時に一体的に埋設可能であるとともに、後から組付けることも可能である。このロック装置Ｒ２では、押釦３３の押し方向とロック爪３４ａの揺動移動方向とがほぼ同じであり、コンセントＡ４の側面を押釦３３と共に手指で掴んだ状態で、ロック解除状態として差込プラグ（図１、図６参照）の抜き出しが行える。
【００５４】
実施例５によるロック装置付コンセントＡ５は、図１４に示すように、実施例３によるロック装置Ｒ３を組み込んだものである。実施例３のロック装置Ｒ３は、そのロック片４０が、実施例１のロック装置Ｒにおけるロック片１４のロック爪１４ａの向きを逆にして、揺動支点Ｐが差込プラグ１０側（コンセント先端側）に位置させた構成である。ケーシング４１の先端側には、図１３に示した引掛け構造部３７を設けてある。
【００５５】
これによれば、実施例１のロック装置Ｒに比べて、差込プラグ１０をコンセントＡ５に差込むときの雄型接触子１１とロック片４０との押し退け角を実質的により小さくすることができるので、より円滑で軽快に差込動作できるとか、ロック片４０の長さを短くすることが可能になる。また、ロック状態（図１４の状態）における雄型接触子１１の抜け出し方向の力は、ロック爪４０ａがより係合孔６に食い込もうとする力になるので、抜け止め機能が強化される利点もある。
〔別実施例〕
【００５６】
ロック片１４の雄型接触子１１への係合構造としては、実施例１のロック装置Ｒ、又は、実施例２のロック装置Ｒ２を２個用いることにより、図１５に示すように、左右の雄型接触子１１の横外側から両方の係合孔６，６に作用するダブルロック装置仕様も可能である。また、図１６に示すように、実施例１のロック装置Ｒを上下に２個重ねたような構造のロック装置（図示省略）を用いる等により、一対の雄型接触子１１，１１の間に、これら双方に係合作用する２個のロック片１４，１４を、単一の支点Ｐで枢支して配置するコンパクト構造のものも可能である。また、ロック片１４，３４，４０を、エンジニアリングプラスチックやＦＲＰ等の合成樹脂材や、アルミ合金等の非鉄金属で形成することも可能である。
【００５７】
本発明によるロック装置Ｒ，Ｒ２，Ｒ３は、壁用の固定型コンセントにも適用可能であるとともに、一対の雌型接触子２３による単一のコンセント部ｋ１を有した一口型のコンセントでも良い。また、ロック装置Ｒ，Ｒ２，Ｒ３は、電線の取出し方向に交差する方向に差込プラグ１０が挿抜される第２〜第４コンセント部ｋ２〜ｋ４にも適用可能である。
【図面の簡単な説明】
【００５８】
【図１】実施例１のコンセントを備えたマルチタップ型中継コードの全体斜視図
【図２】図１のコンセントの内部構造を示す（Ａ）平面図、（Ｂ）底面図
【図３】図１のコンセントの内部構造を示す（Ａ）左側面図、（Ｂ）右側面図
【図４】図１のコンセントの部分底面図
【図５】実施例１のロック装置と雌型接触子とを示すコンセントの要部正面図
【図６】（Ａ）はロック状態、（Ｂ）はロック解除状態を夫々示す実施例１のロック装置の要部の一部切欠き平面図
【図７】（Ａ）はロック状態、（Ｂ）はロック解除状態を夫々示す実施例１のロック装置の内部を透視した正面図
【図８】実施例１のロック装置の構成を示す分解斜視図
【図９】実施例１のロック装置の組立状態を示す斜視図
【図１０】ロック装置付十字型コンセント（実施例２）を示す内部透視の斜視図
【図１１】図１０の十字型コンセントの外観斜視図
【図１２】実施例１のロック装置を持つ実施例２のコンセントを示す概略平面図
【図１３】実施例３のロック装置を持つ実施例４のコンセントを示し、（Ａ）は平面図、（Ｂ）はロック装置側の側面図
【図１４】実施例４のロック装置を持つ実施例５のコンセントの要部を示す一部切欠きの平面図
【図１５】横外から作用する左右ロック片を持つロック装置（別実施例）の概念図
【図１６】中央から作用する２個のロック片を持つロック装置（別実施例）の概念図
【符号の説明】
【００５９】
１                中継コード
６                係合孔
８                表示ランプ
９                支持ケース
１０，Ｂ          差込プラグ
１１              雄型接触子
１２              挿通孔
１４              ロック片
１４ｂ            被操作部
１５              操作片
１５ａ            押釦
１５ｂ            傾斜作用部
１６              ケーシング
１６Ａ            第１ケース
１６Ｂ            第２ケース
１６ｔ            ガイド部
２０              連結手段
２３              雌型接触子
２７              導通接続部
Ａ，Ａ２〜Ａ５    ロック装置付コンセント
Ｃ                電線
Ｒ，Ｒ２，Ｒ３    コンセント用ロック装置
【図１】
2005302623.tif 000003
【図２】
2005302623.tif 000004
【図３】
2005302623.tif 000005
【図４】
2005302623.tif 000006
【図５】
2005302623.tif 000007
【図６】
2005302623.tif 000008
【図７】
2005302623.tif 000009
【図８】
2005302623.tif 000010
【図９】
2005302623.tif 000011
【図１０】
2005302623.tif 000012
【図１１】
2005302623.tif 000013
【図１２】
2005302623.tif 000014
【図１３】
2005302623.tif 000015
【図１４】
2005302623.tif 000016
【図１５】
2005302623.tif 000017
【図１６】
2005302623.tif 000018